(57)【要約】【課題】使い勝手が良好なベルトを提供する。【解決手段】ベルト１０は、基部２４及び編込み部２６を有するベルト本体１２と、基部２４の長手方向他端部に取り付けられた第一バックル部材１４と、第一バックル部材１４と係合可能とされた第二バックル部材１６と、長手方向一端部に第二バックル部材１６が取り付けられると共に、長手方向中間部に取り付けられたコキ３２により長さ調節可能とされた延長ベルト１８と、基部２４の長手方向一端部に取り付けられた第一カラビナ２０と、延長ベルト１８の長手方向他端部に取り付けられた第二カラビナ２２とを備えている。【選択図】図１
0003183298.tif 000002
【実用新案登録請求の範囲】
【請求項１】
１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の長手方向一端部側から他端部側へ順に前記基部の長手方向と直交方向を結び方向とする本結びを複数形成することにより構成されると共に、前記各本結びを構成する一対の輪部で前記基部を両側から挟み込む編込み部と、を有するベルト本体と、
前記基部の長手方向他端部に取り付けられた第一バックル部材と、
前記第一バックル部材と係合可能とされた第二バックル部材と、
長手方向一端部に前記第二バックル部材が取り付けられると共に、長手方向中間部に取り付けられたコキにより長さ調節可能とされた延長ベルトと、
前記基部の長手方向一端部に取り付けられた第一カラビナと、
前記延長ベルトの長手方向他端部に取り付けられた第二カラビナと、
を備えたベルト。
【請求項２】
１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の長手方向一端部側から他端部側へ順に前記基部の長手方向と直交方向を結び方向とする本結びを複数形成することにより構成されると共に、前記各本結びを構成する一対の輪部で前記基部を両側から挟み込む編込み部と、を有するベルト本体と、
前記基部の長手方向他端部に取り付けられた第一バックル部材と、
前記第一バックル部材と係合可能とされた第二バックル部材と、
長手方向一端部に前記第二バックル部材が取り付けられると共に、長手方向中間部に取り付けられたコキにより長さ調節可能とされた延長ベルトと、
前記延長ベルトの長手方向他端部を折り返すことにより形成された折返し部と、
前記延長ベルトにおける前記折返し部との重ね合わせ部と、前記折返し部とを着脱可能に接続する面状ファスナと、
前記基部の長手方向一端部に取り付けられた第一カラビナと、
前記ベルト本体、前記延長ベルト、及び、前記第一カラビナのいずれかに取り付けられた第二カラビナと、
を備えたベルト。
【請求項３】
１本の紐の長手方向中央側の部分で構成されると共に前記紐の長手方向中央側の部分をその中央部で折り返して形成した基部と、前記基部と連続する前記紐の長手方向一端側の部分及び他端側の部分によって前記基部の長手方向一端部側から他端部側へ順に前記基部の長手方向と直交方向を結び方向とする本結びを複数形成することにより構成されると共に、前記各本結びを構成する一対の輪部で前記基部を両側から挟み込む編込み部と、を有するベルト本体と、
前記基部の長手方向他端部に取り付けられた第一バックル部材と、
前記第一バックル部材と係合可能とされた第二バックル部材と、
長手方向一端部に前記第二バックル部材が取り付けられると共に、長手方向中間部に取り付けられたコキにより長さ調節可能とされた延長ベルトと、
前記延長ベルトの長手方向他端部に取り付けられたリングと、
前記基部の長手方向一端部に取り付けられた第一カラビナと、
前記ベルト本体、前記延長ベルト、前記リング、及び、前記第一カラビナのいずれかに取り付けられた第二カラビナと、
を備えたベルト。
【請求項４】
帯状に形成されたベルト本体と、
一本の紐材により形成されると共に、前記ベルト本体の長手方向一端部側から他端部側へ順に前記ベルト本体の長手方向と直交方向を結び方向とする本結びを複数形成することにより構成され、且つ、前記各本結びを構成する一対の輪部で前記ベルト本体を両側から挟み込む編込み部と、
前記ベルト本体の長手方向一端部に取り付けられた第一バックル部材と、
前記ベルト本体の長手方向他端部に取り付けられた第二バックル部材と、
を備えたベルト。
【請求項５】
前記ベルト本体に設けられ、前記ベルト本体における長さを調節可能にするコキをさらに備えた、
請求項４に記載のベルト。
【考案の詳細な説明】
【技術分野】
【０００１】  本考案は、ベルトに関する。
【背景技術】
【０００２】  従来、ズボン用のベルトが知られている。
【先行技術文献】
【特許文献】
【０００３】
【特許文献１】  特開２０００−１３６４１６号公報
【考案の概要】
【考案が解決しようとする課題】
【０００４】  このようなベルトでは、使い勝手が良好であることが要求される。【０００５】  本考案は、使い勝手が良好であるベルトを提供することを目的とする。
【課題を解決するための手段】
【０００６】  請求項１のベルト（１０）は、１本の紐の長手方向中央側の部分で構成されると共に前記紐の長手方向中央側の部分をその中央部で折り返して形成した基部（２４）と、前記基部（２４）と連続する前記紐の長手方向一端側の部分及び他端側の部分によって前記基部（２４）の長手方向一端部側から他端部側へ順に前記基部（２４）の長手方向と直交方向を結び方向とする本結び（２８）を複数形成することにより構成されると共に、前記各本結び（２８）を構成する一対の輪部（３０）で前記基部（２４）を両側から挟み込む編込み部（２６）と、を有するベルト本体（１２）と、
前記基部（２４）の長手方向他端部に取り付けられた第一バックル部材（１４）と、
前記第一バックル部材（１４）と係合可能とされた第二バックル部材（１６）と、
長手方向一端部に前記第二バックル部材（１６）が取り付けられると共に、長手方向中間部に取り付けられたコキ（３２）により長さ調節可能とされた延長ベルト（１８）と、
前記基部（２４）の長手方向一端部に取り付けられた第一カラビナ（２０）と、
前記延長ベルト（１８）の長手方向他端部に取り付けられた第二カラビナ（２２）と、
を備えている。【０００７】  請求項２のベルト（１０）は、１本の紐の長手方向中央側の部分で構成されると共に前記紐の長手方向中央側の部分をその中央部で折り返して形成した基部（２４）と、前記基部（２４）と連続する前記紐の長手方向一端側の部分及び他端側の部分によって前記基部（２４）の長手方向一端部側から他端部側へ順に前記基部（２４）の長手方向と直交方向を結び方向とする本結び（２８）を複数形成することにより構成されると共に、前記各本結び（２８）を構成する一対の輪部（３０）で前記基部（２４）を両側から挟み込む編込み部（２６）と、を有するベルト本体（１２）と、
前記基部（２４）の長手方向他端部に取り付けられた第一バックル部材（１４）と、
前記第一バックル部材（１４）と係合可能とされた第二バックル部材（１６）と、
長手方向一端部に前記第二バックル部材（１６）が取り付けられると共に、長手方向中間部に取り付けられたコキ（３２）により長さ調節可能とされた延長ベルト（１８）と、
前記延長ベルト（１８）の長手方向他端部を折り返すことにより形成された折返し部（３８）と、
前記延長ベルト（１８）における前記折返し部（３８）との重ね合わせ部（４０）と、前記折返し部（３８）とを着脱可能に接続する面状ファスナ（４２）と、
前記基部（２４）の長手方向一端部に取り付けられた第一カラビナ（２０）と、
前記ベルト本体（１２）、前記延長ベルト（１８）、及び、前記第一カラビナ（２０）のいずれかに取り付けられた第二カラビナ（２２）と、
を備えている。【０００８】  請求項３のベルト（１０）は、１本の紐の長手方向中央側の部分で構成されると共に前記紐の長手方向中央側の部分をその中央部で折り返して形成した基部（２４）と、前記基部（２４）と連続する前記紐の長手方向一端側の部分及び他端側の部分によって前記基部（２４）の長手方向一端部側から他端部側へ順に前記基部（２４）の長手方向と直交方向を結び方向とする本結び（２８）を複数形成することにより構成されると共に、前記各本結び（２８）を構成する一対の輪部（３０）で前記基部（２４）を両側から挟み込む編込み部（２６）と、を有するベルト本体（１２）と、
前記基部（２４）の長手方向他端部に取り付けられた第一バックル部材（１４）と、
前記第一バックル部材（１４）と係合可能とされた第二バックル部材（１６）と、
長手方向一端部に前記第二バックル部材（１６）が取り付けられると共に、長手方向中間部に取り付けられたコキ（３２）により長さ調節可能とされた延長ベルト（１８）と、
前記延長ベルト（１８）の長手方向他端部に設けられたリング（４６）と、
前記基部（２４）の長手方向一端部に取り付けられた第一カラビナ（２０）と、
前記ベルト本体（１２）、前記延長ベルト（１８）、前記リング（４６）、及び、前記第一カラビナ（２０）のいずれかに取り付けられた第二カラビナ（２２）と、
を備えたベルト（１０）。【０００９】  請求項４のベルト（５０）は、帯状に形成されたベルト本体（５２）と、
一本の紐材により形成されると共に、前記ベルト本体（５２）の長手方向一端部側から他端部側へ順に前記ベルト本体（５２）の長手方向と直交方向を結び方向とする本結び（６４）を複数形成することにより構成され、且つ、前記各本結び（６４）を構成する一対の輪部（６６）で前記ベルト本体（５２）を両側から挟み込む編込み部（５４）と、
前記ベルト本体（５２）の長手方向一端部に取り付けられた第一バックル部材（５６）と、
前記ベルト本体（５２）の長手方向他端部に取り付けられた第二バックル部材（５８）と、
を備えている。【００１０】  請求項５に記載のベルト（５０）は、請求項４に記載のベルト（５０）において、前記ベルト本体（５２）に設けられ、前記ベルト本体（５２）における長さを調節可能にするコキ（６０，６２）をさらに備えたものである。
【考案の効果】
【００１１】  このベルトによれば、使い勝手を良好にすることができる。
【図面の簡単な説明】
【００１２】
【図１】  第一実施形態に係るベルトの全体平面図である。
【図２】  図１の要部拡大図である。
【図３】  図１に示されるベルトを腰に装着した状態を示す説明図である。
【図４】  図１に示されるベルトをバッグに取り付けた状態を示す説明図である。
【図５】  第二実施形態に係るベルトの要部を示す図である。
【図６】  第三実施形態に係るベルトの要部を示す図である。
【図７】  第四実施形態に係るベルトの全体平面図である。
【図８】  図７の要部拡大図である。
【図９】  図７に示されるベルトを腰に装着した状態を示す説明図である。
【考案を実施するための形態】
【００１３】  ［第一実施形態］
はじめに、本考案の第一実施形態について説明する。
【００１４】  図１に示されるように、本考案の第一実施形態に係るベルト１０は、ベルト本体１２と、第一バックル部材１４と、第二バックル部材１６と、延長ベルト１８と、第一カラビナ２０と、第二カラビナ２２とを備えている。
【００１５】  ベルト本体１２は、基部２４と、編込み部２６とを有している。基部２４は、１本の紐の長手方向中央側の部分で構成されると共に紐の長手方向中央側の部分をその中央部で折り返して形成したものである。また、編込み部２６は、基部２４と連続する紐の長手方向一端側の部分及び他端側の部分によって基部２４の長手方向一端部側から他端部側へ順に基部２４の長手方向と直交方向を結び方向とする本結び２８を複数形成することにより構成されると共に、各本結び２８を構成する一対の輪部３０で基部２４を両側から挟み込んだものである（図２も参照）。このようなベルト本体１２は、例えば、特許４６０５６７３号公報、特許４５３０３０４号公報に開示されたものが使用される。
【００１６】  第一バックル部材１４は、基部２４の長手方向他端部に取り付けられており、第二バックル部材１６は、第一バックル部材１４と係合可能とされている。延長ベルト１８の長手方向一端部には、第二バックル部材１６が取り付けられている。延長ベルト１８の長手方向中間部には、コキ３２が取り付けられており、このコキ３２により、延長ベルト１８の長さは調節可能とされている。
【００１７】  第一カラビナ２０は、基部２４の長手方向一端部に取り付けられており、第二カラビナ２２は、延長ベルト１８の長手方向他端部に取り付けられている。
【００１８】  上記構成とされたベルト１０は、図３に示されるように、第一バックル部材１４及び第二バックル部材１６を係合すると共に、第一カラビナ２０及び第二カラビナ２２を連結することにより、通常の腰ベルトとして使用することができる。また、コキ３２を利用して延長ベルト１８の長さを調節することにより、ベルト１０全体の長さを調節することが可能である。なお、ベルト１０の着脱は、第一バックル部材１４及び第二バックル部材１６の係合を解除することにより行うことができる。
【００１９】  さらに、図４に示されるように、第一バックル部材１４及び第二バックル部材１６を係合した状態で、第一カラビナ２０及び第二カラビナ２２の連結を解除すると共に、この第一カラビナ２０及び第二カラビナ２２をバッグ３４に設けられた連結用のリング３６にそれぞれ連結することにより、ベルト１０をバッグ３４のショルダーベルトとしても使用することができる。
【００２０】  このように、本実施形態のベルト１０によれば、二通りの使い方ができるので、従来のベルトに比して、使い勝手を向上させることができる。また、コキ３２を利用して延長ベルト１８の長さを調節することにより、ベルト１０全体の長さを調節することが可能である。しかも、ベルト本体１２には、編込み部２６による装飾が施されているので、意匠性も高めることができる。
【００２１】  ［第二実施形態］
次に、本考案の第二実施形態について説明する。
【００２２】  本考案の第二実施形態では、上述の第一実施形態に対して、ベルト１０の構成が次のように変更されている。すなわち、図５に示されるように、延長ベルト１８の長手方向他端部には、該長手方向他端部を折り返すことにより折返し部３８が形成されている。また、この延長ベルト１８における折返し部３８との重ね合わせ部４０と、折返し部３８とは、面状ファスナ４２により着脱可能に接続されている。そして、第一カラビナ２０は、この折返し部３８と重ね合わせ部４０とによって形成された環状部４４と連結される。第二カラビナ２２は、第一カラビナ２０に取り付けられても良いし、上述のベルト本体１２や延長ベルト１８に取り付けられても良い。
【００２３】  この第二実施形態によっても、上述の如く、ベルト１０の二通りの使い方ができるので、従来のベルトに比して、使い勝手を向上させることができる。また、コキ３２を利用して延長ベルト１８の長さを調節することにより、ベルト１０全体の長さを調節することが可能である。しかも、ベルト本体１２には、編込み部２６による装飾が施されているので、意匠性も高めることができる。
【００２４】  ［第三実施形態］
次に、本考案の第三実施形態について説明する。
【００２５】  本考案の第三実施形態では、上述の第一実施形態に対して、ベルト１０の構成が次のように変更されている。すなわち、図６に示されるように、延長ベルト１８の長手方向他端部には、リング４６が取り付けられている。そして、第一カラビナ２０は、このリング４６と連結される。第二カラビナ２２は、第一カラビナ２０やリング４６に取り付けられても良いし、上述のベルト本体１２や延長ベルト１８に取り付けられても良い。
【００２６】  この第三実施形態によっても、上述の如く、ベルト１０の二通りの使い方ができるので、従来のベルトに比して、使い勝手を向上させることができる。また、コキ３２を利用して延長ベルト１８の長さを調節することにより、ベルト１０全体の長さを調節することが可能である。しかも、ベルト本体１２には、編込み部２６による装飾が施されているので、意匠性も高めることができる。
【００２７】  ［第四実施形態］
次に、本考案の第四実施形態について説明する。
【００２８】  図７に示されるように、本考案の第四実施形態に係るベルト５０は、ベルト本体５２と、編込み部５４と、第一バックル部材５６と、第二バックル部材５８と、コキ６０，６２とを備えている。
【００２９】  ベルト本体５２は、帯状により形成されている。編込み部５４は、一本の紐材により形成されると共に、ベルト本体５２の長手方向一端部側から他端部側へ順にベルト本体５２の長手方向と直交方向を結び方向とする本結び６４を複数形成することにより構成され、且つ、各本結び６４を構成する一対の輪部６６でベルト本体５２を両側から挟み込んだものである（図８も参照）。このような編込み部５４は、例えば、特許４６０５６７３号公報、特許４５３０３０４号公報に開示されたものが使用される。
【００３０】  第一バックル部材５６は、ベルト本体５２の長手方向一端部に取り付けられており、第二バックル部材５８は、ベルト本体５２の長手方向他端部に取り付けられている。コキ６０は、ベルト本体５２の長手方向一端部に設けられ、ベルト本体５２の長手方向一端部における長さを調節可能にしている。コキ６２は、ベルト本体５２の長手方向他端部に設けられ、ベルト本体５２の長手方向他端部における長さを調節可能にしている。
【００３１】  上記構成とされたベルト５０は、図９に示されるように、第一バックル部材５６及び第二バックル部材５８を係合することにより、通常の腰ベルトとして使用することができる。また、コキ６０，６２を利用してベルト本体５２の長さを調節することにより、ベルト５０全体の長さを調節することが可能である。しかも、ベルト本体１２には、編込み部２６による装飾が施されているので、意匠性も高めることができる。
【図１】
0003183298.tif 000003
【図２】
0003183298.tif 000004
【図３】
0003183298.tif 000005
【図４】
0003183298.tif 000006
【図５】
0003183298.tif 000007
【図６】
0003183298.tif 000008
【図７】
0003183298.tif 000009
【図８】
0003183298.tif 000010
【図９】
0003183298.tif 000011